(57)【要約】      （修正有）【課題】おみくじではあるが、ご利益を授かったり、願い事を叶えたりしてもらうために、御守として充分に願いを込めることのできる御守おみくじを提供する。【解決手段】おみくじ１は、中空部を有する星形中空体から成り、該星形中空体は、片面に託宣を印刷された細長の帯状用紙が、託宣の印刷面を内側にして折り重ねられて形成され、中空部には御守体２が収納されている。このおみくじ１は折り重ねられた帯状用紙の折り重ねを解くことで、託宣を読み、また収納された御守体２を取り出すことができる。【選択図】図１
0003169536.tif 000002
【実用新案登録請求の範囲】
【請求項１】
中空部を有する星形中空体から成り、該星形中空体は、片面に託宣を印刷された細長の帯状用紙が、託宣の印刷面を内側にして折り重ねられて形成され、前記中空部には御守体が収納されている御守おみくじ。
【請求項２】
帯状用紙の託宣の非印刷面は、金属光沢色に着色されていることを特徴とする請求項１に記載の御守おみくじ。
【請求項３】
帯状用紙が、託宣の終了側を起点として折り重ねられ、託宣の開始側が星形中空体の表面に位置するように折り重ねられていることを特徴とする請求項１もしくは２に記載の御守おみくじ。
【請求項４】
中空部に収納された御守体は、星形の鈴守であることを特徴とする請求項１〜３のいずれか一項に記載の御守おみくじ。
【考案の詳細な説明】
【技術分野】
【０００１】
本考案はおみくじ本体の内部に御守を収納したおみくじに関する。
【背景技術】
【０００２】
おみくじは、神社仏閣などで運勢を占うために引くくじであり、皆に広く親しまれている。一般的なおみくじ本体は、大吉、中吉、小吉、凶などの吉凶と共に、健康、恋愛、縁談、出産、商売、金運、転居、旅行などについての運勢が託宣として印刷された紙片からなっている。そして、おみくじを引く方法としては、番号の付けられたおみくじ棒などを引いて、そこに記載された番号のおみくじを受け取るか、あるいは予め折り畳まれた紙片や丸められて棒状とされたおみくじを、箱や引出から取り出すなどの方法で授与される。おみくじは、印刷された内容を読んで引き当てた運勢が確認できれば用が済むものであり、内容確認後、境内の木の枝や柵結びつけたり、捨てたりすることも多く、持ち帰ることは少なかった。しかしながら、おみくじの運勢の内容によっては、その内容が叶うように、境内の木などに結びつけるだけでなく、願い事が叶うように持ち帰って保存することもあった。
【０００３】
一方、神社仏閣においては、家内安全、学業成就、交通安全などのご利益を授かったり、願い事を叶えたりするための御守も授与しており、参拝者の中には、おみくじと御守の同時の授与の希望もあった。そのため、本考案者は、運勢などが印刷されたおみくじ本体を、御守体が収納できる形状に形成した収納袋とした構成された御守体収納おみくじを提案している（特許文献１を参照）。また、特許文献２には、参拝者が、木や柵などに結びつけたり境内に捨てたりすることなく、持ち帰りたくなるようようなおみくじとして、高級な紙質の素材紙の片面に託宣が、他面に絵柄や模様が印刷された紙を、託宣面が内側になるようにして三つ折りにして細長くし、それを止め結びしたおみくじが記載されている。そして、このおみくじには、三つ折りする際に、その中央に小さい御守や宝玉などの授与品を入れておいてもよいことが記載されている。
【０００４】
上記したおみくじは、御守も付属しており、持ち帰ってみようと思わせるものではあるが、ご利益を授かったり、また願い事を叶え幸福へと導いてもらえたりする御守としては、御守はおみくじのおまけとしての付属物との印象が強く、充分に満足できるものではなかった。
【先行技術文献】
【特許文献】
【０００５】
【特許文献１】登録実用新案第３１２５３７５号公報
【特許文献２】登録実用新案第３１５９７９９号公報
【考案の概要】
【考案が解決しようとする課題】
【０００６】
本考案の課題は、おみくじではあるが、ご利益を授かったり、願い事を叶えたりしてもらうために、御守として充分に願いを込めることのできる御守おみくじを提供することである。
【課題を解決するための手段】
【０００７】
本考案のおみくじは、中空部を有する星形中空体から成り、該星形中空体は、片面に託宣を印刷された細長の帯状用紙が、託宣の印刷面を内側にして折り重ねられて形成され、前記中空部には御守体が収納されている御守おみくじである。
【０００８】
そして、前記帯状用紙の託宣の非印刷面は、金属光沢色に着色されていることが好ましく、託宣の印刷面を内側にして、該帯状用紙を折り重ねて星形中空体を形成した場合には、中空体の外側表面が金属光沢色となる。さらには、帯状用紙が託宣の終了側を起点として折り重ねられ、託宣の開始側が星形中空体の表面に位置するように折り重ねられていることが好ましく、また、中空部に収納された御守体は星型であることが好ましい。
【考案の効果】
【０００９】
本考案のおみくじは、星形となっているために、星に願を込め、願を叶えてもらえるといった意味があり、御守としても好ましいものとなる。そして、星形中空体を形成している折り重ねられた帯状用紙を開くことにより、内側に印刷された託宣を読むことができると共に、中から御守体を取り出すことができる。そのため、託宣の内容が好ましいものであれば、取り出した御守体を保持することで、託宣の内容の実現、継続を叶えてもらったり、ご利益を授かったりする。そして、好ましいものでなければ、好ましいものに変化させるべく御守体を保持して、願を込めることができる御守おみくじとなり、おみくじと御守とが一体化したものとなる。
【００１０】
また、帯状用紙の託宣の非印刷面を金属光沢色に着色することで、折り重ねて形成した星形中空体の外側表面が金属光沢色となり、きらきら光る星のイメージを強調することができる。おみくじの中空部に収納される御守体も、星型の鈴守とすることで、さらに星に願を込める意味を付与することができる。
【００１１】
そして、帯状用紙が託宣の終了側を起点として折り重ねられ、託宣の開始側が星形中空体の表面に位置するように折り重ねられている場合には、帯状用紙の折り重ねを解いて、くるくると開きながら託宣を順次読むことができ、開き終えたとき、すなわち託宣を読み終えたときに、御守体を取り出すようになるため、御守とおみくじの両方の機能を満たすニーズにより応えるものとなる。
【図面の簡単な説明】
【００１２】
【図１】本考案の御守おみくじと御守体の斜視図。
【図２】図1に示した御守おみくじの正面図と背面図。
【図３】帯状用紙を折り重ねて、御守おみくじを形成する方法の最初の段階の説明図。
【図４】図３の段階の帯状用紙の全体説明図。
【図５】図３に引き続いて、帯状用紙を折り重ねる方法の説明図。
【図６】御守おみくじを開いて、御守体を取り出している状態の説明図。
【考案を実施するための形態】
【００１３】
本考案の実施例につき、図に基づいて説明する。御守おみくじの実施例を図１および図２に示し、図１には星型の御守おみくじ１と中空部に収納される御守体２の斜視図が示されている。図２の２−１は御守おみくじ１の正面図であり、２-２は背面図である。御守おみくじ１は、図３〜５に示すように、託宣が印刷された帯状用紙１０を託宣の印刷面１１を内側にして、折り重ねて星形中空体に形成されており、該中空体の表面は託宣の非印刷面１２、すなわち託宣の印刷面１１の裏側で形成されている。そして、該中空体の中空部には御守体２が収納されている。
【００１４】
託宣が印刷された帯状用紙１０を折り重ねて、上記御守おみくじを形成する方法の説明図が図３〜４である。図３は帯状用紙１０を折り重ねて星形中空体の御守おみくじ１に形成する最初の段階の説明図であり、帯状用紙１０の託宣の終了側を芯となる星型中空体２０に折りたたんでいる説明図である。図に示すように、託宣の終了側において帯状用紙１０を、折り部１４と折り部１５の二箇所で折り、次いで折り部１６で折り、端部１３を折り部１４と１５とで形成された袋部に差し込み、五角形状とする。この折りたたみに際しては、次に説明する星型中空体２０を形成し易くするため、端部１３は図のように両角を折り曲げておく。続いて図３の最下図に示すように、この五角形の各辺である折り部１４、１５、１６と端部１３とを内側に向かって凹ませ、凹部Ｂ、Ｃ、Ｄ、Ｅとし、折りたたみで形成した凹部Ａと併せ、中空部のある星形中空体２０とする。この星形中空体２０では、託宣の印刷面１１が内側面となり、非印刷面１２が外側表面となる。図４は、託宣の終了側が星形中空体２０に形成された帯状用紙１０の全体図を示している。この段階で、星形中空体２０の内部に、開口している凹部Ａから、図１に示されるような御守体２を入れ、次いで、形成された星形中空体２０を芯として、その表面に帯状用紙１０を巻きつけるようにして折り重ねて、中空部に御守体を収納した御守おみくじ１を形成することができる。
【００１５】
図５は星形中空体２０の表面に、帯状用紙１０を巻きつけるようにして折り重ねてゆく方法の説明図である。帯状用紙１０を星形中空体２０に折り重ねるには、凹部Ａから凹部Ｃに向けて、図の手前側を通して折り重ね、ついで凹部Ｃから凹部Ｅに向けて、図の向こう側を通して折り重ね、ついで凹部Ｅから凹部Ｂに向けて、図の手前側を通すという手順で、順次ＡからＣ、ＣからＥ、ＥからＢ、ＢからＤに折り重ねて御守おみくじを形成する。この場合、図５の５−１に示すように、印刷面１１の鎖線２１を谷折り線とし、点線２２を山折り線として折り曲げ、折り曲げ部Ａ１、Ｂ１、Ｃ１などとして、凹部Ａから凹部Ｃに向けて折り重ねる際に、折り曲げ部Ａ１を凹部Ａに折り重ね、折り曲げ部Ｂ１を凹部Ｂに折り重ね、折り曲げ部Ｃ１を凹部Ｃに折り重ねるという手順で折り重ねる。同様に、凹部Ｃから凹部Ｅに向けての折り重ねでは、折り曲げ部Ｄ１を凹部Ｄに折り重ね、折り曲げ部Ｅ１を凹部Ｅに折り重ねる手順となる。以下同様な手順を続け、帯状用紙１０を折り重ねる。
【００１６】
図５の５−２は折り重ねの最終段階を示し、帯状用紙１０の託宣の開始側の先細状に切り落とされた端部１８は、折り部１９にて折り返されている。帯状用紙１０の折り重ねを終了した状態は図２の２−２に示される。端部１８は粘着剤もしくは接着力の弱い接着材にて、剥離可能に係止される。このようにして形成された御守おみくじ１は図１および図２に示され、御守おみくじ１の表面は帯状用紙１０の託宣の非印刷面１２で構成されている。尚、符号１７は帯状用紙１０の側端を示している。
【００１７】
図６は本考案の御守おみくじの帯状用紙１０を開いて、収納されている御守体２を取り出している説明図である。６−１において、帯状用紙１０の端の係止を外し、帯状用紙１０をくるくると巻き解き、解き終わったときに、６−２に示すように御守体２を取り出すことができる。
【００１８】
託宣の非印刷面１２はおみくじの外側表面となるために、この面を光輝性のあるインキの金属光沢色インキで印刷着色することにより、星のイメージを彷彿させることが好ましい。色は緑、青、赤、金、銀など特に限定されないが、きらきらと輝く金属光沢色に着色できるインキであればよい。また、着色するだけでなく絵柄を印刷することも差し支えない。
【００１９】
御守体としては、鈴守、根付守などのほか十二支や動物などの縁起物やそれにストラップをつけたものなどを用いることができ、陶器、金属、プラスチックなど材質も限定されることなく用いることができる。しかし、おみくじが星型の形状であるため、それに合わせて御守体も星型の鈴守としておくことが好ましい。
【００２０】
以上のように、本考案のおみくじは、御守を兼ねた新しいコンセプトのおみくじである。
【符号の説明】
【００２１】
１    御守おみくじ
２    御守体
１０  帯状用紙
１１  託宣の印刷面
１２  託宣の非印刷面
１３  託宣の終了側の端部
１４、１５、１６  折り部
１７  帯状用紙の側端
１８  託宣の開始側の端部
１９  折り部
２０  星形中空部（芯）
２１  鎖線（谷折り線）
２２  点線（山折り線）
Ａ、Ｂ、Ｃ、Ｄ、Ｅ  凹部
Ａ１、Ｂ１、Ｃ１、Ｄ１、Ｅ１、Ａ２  折り曲げ部
【図１】
0003169536.tif 000003
【図２】
0003169536.tif 000004
【図３】
0003169536.tif 000005
【図４】
0003169536.tif 000006
【図５】
0003169536.tif 000007
【図６】
0003169536.tif 000008